(57)【要約】      （修正有）【課題】四方の全方向から作用する外力にもその形態を強固に維持することができる広告用空気膜造形物を提供する。【解決手段】広告用空気膜造形物は、内部に空気注入部から空気が注入されて膨張し、空気膜造形物の外形を形成する外被部１０と、外被部の内側壁に固定結合され、空気注入部に対して外被部を支持する支持膜２０と、外被部を空気注入部の外側に密着して固定させる第１固定手段４１と、支持膜を空気注入部の外側に密着して固定させる第２固定手段４２とを含むことにより、四方の全方向から作用する外力から空気膜造形物を強固に支持することができる。【選択図】図５
2019003183.tif 000002
【特許請求の範囲】
【請求項１】
空気注入装置の空気注入部から内部に空気が供給されて膨張する広告用空気膜造形物において、
前記空気注入部の外側に挟まれるように第１貫通ホールを備え、内部に前記空気注入部から空気が注入されて膨張し、空気膜造形物の外形を形成する外被部と、
前記空気注入部の外側に挟まれるように第２貫通ホールを備え、前記外被部の内部に備えられるものの、前記外被部の内部空間を上部空間部と下部空間部とに分離するように前記外被部の内側壁に固定結合され、前記空気注入部に対して前記外被部を支持する支持膜と、
前記外被部を前記空気注入部の外側に密着して固定させる第１固定手段と、
前記外被部の内部に備えられ、下端部が前記外被部の第１貫通ホールに連結され、上端部が前記支持膜の第２貫通ホールに連結される内被部と、
前記支持膜を前記空気注入部の外側に密着して固定させる第２固定手段とを含み、
前記支持膜に前記上部空間部と前記下部空間部とを連通させる空気ホールが形成されたことを特徴とし、
前記空気注入部を介して前記上部空間部に注入された空気は、前記空気ホールを介して前記下部空間部に流入することにより、空気膜造形物の外形を形成することを特徴とし、
前記支持膜は、前記外被部の内側面と前記内被部との間の空間に前記空気注入部の周りに沿って全体的に面状に形成されることを特徴とする広告用空気膜造形物。
【請求項２】
前記空気注入部は、インフレキシブルな材質で構成されたことを特徴とする請求項１に記載の広告用空気膜造形物。
【請求項３】
前記空気ホールは、
複数個が前記空気注入部の円周方向に沿って互いに所定間隔をおいて備えられたことを特徴とする請求項１に記載の広告用空気膜造形物。
【請求項４】
前記内被部は、
前記空気注入部の外側に挟まれるように円筒形状に形成されたことを特徴とする請求項１に記載の広告用空気膜造形物。
【請求項５】
前記支持膜は、ドーナツ形状に形成され、前記支持膜の外周部分は、前記外被部の内側に返し縫いされて連結され、前記内被部の上端部は、前記支持膜の第２貫通ホールの内周部分に返し縫いされて連結され、前記内被部の下端部は、前記外被部の第１貫通ホールの内周部分に返し縫いされて連結されることを特徴とする請求項４に記載の広告用空気膜造形物。
【請求項６】
前記空気注入部がスリーブ管と空気注入管とからなる場合、前記第１固定手段は、前記スリーブ管の上端部に形成された第１係止段に支持され、前記第２固定手段は、前記空気注入管に形成された第２係止段に支持されることを特徴とする請求項１に記載の広告用空気膜造形物。
【請求項７】
前記第１固定手段および前記第２固定手段は、
ゴムバンドであることを特徴とする請求項１に記載の広告用空気膜造形物。
【発明の詳細な説明】
【技術分野】
【０００１】
本発明は、広告用空気膜造形物に関し、より詳細には、空気注入装置から圧縮空気が注入されて外形を維持し、広告手段として用いられる広告用空気膜造形物に関する。
【背景技術】
【０００２】
一般的に、広告用空気膜造形物は、円筒形を含めて多様な形態の人形や広告文が書かれた形状をした造形物の内部に空気を注入して膨張させ、広告するのに主に用いられる広告媒体を意味する。
【０００３】
広告用空気膜造形物は、布地やビニールのように形状が変形可能な素材を用いるので、未使用の際には折り畳んで保管するのが容易であり、設置が簡便であり、設置後には周りの視線を集められる大きな体積に膨張して広告効果が大きいので、多様な業種の営業所の広告や運動会、ピクニック、特定団体の集まりのようなイベント場で広く用いられている。
【０００４】
このような広告用空気膜造形物は、主に屋外で多く用いられるが、空気注入装置からの空気圧と空気膜造形物の形状に応じて形状が維持されずに倒れたり大きく揺れる現象が発生する。
【０００５】
例えば、特許文献１に開示されたエアチューブ（空気膜造形物）は、長形に形成され、風のような外部環境の影響を受けてなびく現象が発生する。このような現象が広告に役立つ場合には問題にならないが、使用目的に応じて造形物の形状をそのまま維持する必要がある場合には、外力によって倒れやすい現象が問題点に作用するほかない。
【０００６】
詳述すれば、従来の広告用空気膜造形物１は、図１に示されるように、形状を強固に維持するために、空気注入装置１００の上端に垂直に備えられる空気注入管１２２に挟んで立てる方式で用いられた。
【０００７】
しかし、従来の広告用空気膜造形物１は、図２に示されるように、空気注入管１２２の上側部分が風などの外力によって一方に傾いたり倒れる問題点があった。
【先行技術文献】
【特許文献】
【０００８】
【特許文献１】韓国公開特許公報第１０−２０１１−００００６９２号
【特許文献２】韓国公開特許公報第１０−２０１４−００３００００号
【発明の概要】
【発明が解決しようとする課題】
【０００９】
本発明は、上記の従来の広告用空気膜造形物の抱える問題点を改善するためになされたものであって、四方の全方向から作用する外力にもその形態を強固に維持することができる広告用空気膜造形物を提供することを目的とする。
【課題を解決するための手段】
【００１０】
上記の目的を達成するために、本発明に係る広告用空気膜造形物は、空気注入装置の空気注入部から内部に空気が供給されて膨張する広告用空気膜造形物において、前記空気注入部の外側に挟まれるように第１貫通ホールを備え、内部に前記空気注入部から空気が注入されて膨張し、空気膜造形物の外形を形成する外被部と、前記空気注入部の外側に挟まれるように第２貫通ホールを備え、前記外被部の内部に備えられるものの、前記外被部の内部空間を上部空間部と下部空間部とに分離するように前記外被部の内側壁に固定結合され、前記空気注入部に対して前記外被部を支持する支持膜と、前記外被部を前記空気注入部の外側に密着して固定させる第１固定手段と、前記外被部の内部に備えられ、下端部が前記外被部の第１貫通ホールに連結され、上端部が前記支持膜の第２貫通ホールに連結される内被部と、前記支持膜を前記空気注入部の外側に密着して固定させる第２固定手段とを含み、前記支持膜に前記上部空間部と前記下部空間部とを連通させる空気ホールが形成されたことを特徴とし、前記空気注入部を介して前記上部空間部に注入された空気は、前記空気ホールを介して前記下部空間部に流入することにより、空気膜造形物の外形を形成することを特徴とし、前記空気注入部は、インフレキシブルな材質で構成されたことを特徴とし、前記支持膜は、四方から立体的に吹いてくる風や外力にも全方向で前記外被部を強固に支持するように、前記外被部の内側面と前記内被部との間の空間に前記空気注入部の周りに沿って全体的に面状に形成されることを特徴とする。
【００１１】
この場合、前記空気ホールは、複数個が前記空気注入部の円周方向に沿って互いに所定間隔をおいて備えられる。
【００１２】
一方、前記第２固定手段は、ゴムバンドであってもよい。
【００１３】
また、前記内被部は、前記空気注入部の外側に挟まれるように円筒形状に形成される。
【００１４】
この時、前記支持膜は、ドーナツ形状に形成され、前記支持膜の外周部分は、前記外被部の内側に返し縫いされて連結され、前記内被部の上端部は、前記支持膜の第２貫通ホールの内周部分に返し縫いされて連結され、前記内被部の下端部は、前記外被部の第１貫通ホールの内周部分に返し縫いされて連結されることが好ましい。
【発明の効果】
【００１５】
以上説明したように、本発明に係る広告用空気膜造形物は、四方の全方向から作用する外力にも空気膜造形物の形態を強固に維持することができる。
【図面の簡単な説明】
【００１６】
【図１】従来技術による広告用空気膜造形物を示す斜視図である。
【図２】従来技術による広告用空気膜造形物を示す斜視図である。
【図３】本発明の一実施形態に係る広告用空気膜造形物を示す一側面図である。
【図４】図３のＡ−Ａ線に沿って切り取った概略横断面図である。
【図５】図４のＢ−Ｂ線に沿って切り取った概略側断面図である。
【図６】図５に示された広告用空気膜造形物を示す概略部分斜視図である。
【図７】図６に示された広告用空気膜造形物の設置前の状態を示す概略側断面図である。
【発明を実施するための形態】
【００１７】
以下、添付した図面を参照して、本発明の好ましい実施形態を詳細に説明する。
【００１８】
図３〜図７を参照すれば、本発明の一実施形態に係る広告用空気膜造形物は、空気注入装置１００の空気注入部１２０から空気が注入されて膨張し、空気膜造形物の外形を形成する外被部１０と、前記空気注入部１２０に対して前記外被部１０を支持する支持膜２０と、前記外被部１０と前記支持膜２０とを連結する内被部３０と、前記外被部１０を前記空気注入部１２０の外側に密着して固定させる第１固定手段４１と、前記支持膜２０を前記空気注入部１２０の外側に密着して固定させる第２固定手段４２とを含む。
【００１９】
前記空気注入装置１００は、ハウジング１０１の内部に空気注入機構１１０として送風ファンを備え、ハウジング１０１の上部に空気注入部１２０を備えている。前記空気注入部１２０は、インフレキシブルな材質で構成され、スリーブ管１２１と空気注入管１２２とからなる。前記空気注入管１２２は、スリーブ管１２１の内部に挟まれている。前記空気注入管１２２は、垂直に立てられる直線円筒管で、前記空気注入機構１１０から吐出される圧縮空気の直進性を高め、空気膜造形物の内部の奥深い所に吐出させる。
【００２０】
前記外被部１０は、前記スリーブ管１２１の外側に挟まれて結合される。前記外被部１０は、空気注入装置１００の空気注入部１２０の外側に挟まれるように第１貫通ホール１１を備えている。前記第１貫通ホール１１で前記スリーブ管１２１の外側に挟み、前記第１固定手段４１で固定させる。
【００２１】
前記スリーブ管１２１の上端部には、前記外被部１０が挟まれた状態で離脱しないように、前記第１固定手段４１を支持する第１係止段１２１ａが形成されている。本実施形態において、前記外被部１０は、前記スリーブ管１２１に挟まれて固定されるが、前記空気注入管１２２の外側に挟まれて固定されることも可能である。前記外被部１０の内部に圧縮空気が注入されると、圧縮空気によって前記外被部１０が上側に力を受けるようになるが、この時、前記第１固定手段４１が前記第１係止段１２１ａに係止され、外されるのを防止する。
【００２２】
前記外被部１０の下端部が前記スリーブ管１２１の外側に挟まれて固定されると、前記外被部１０の内部に前記空気注入管１２２が位置する。また、前記外被部１０の内部に前記支持膜２０と前記内被部３０とが備えられている。
【００２３】
前記内被部３０は、円筒形状に形成され、前記空気注入部１２０の外側に挟まれる。前記内被部３０の下端部は、前記外被部１０の第１貫通ホール１１に連結されて連続的に形成される。前記内被部３０の下端部は、前記外被部１０の第１貫通ホール１１の内周部分に返し縫いされて連結される。前記外被部１０と前記支持膜２０および前記内被部３０は、布地で形成され、返し縫いによって互いに連結することができる。前記内被部３０の上端部には、前記支持膜２０が連続して連結されている。
【００２４】
前記支持膜２０は、前記空気注入部１２０の外側に挟まれるように第２貫通ホール２１を備え、全体的にドーナツ形状に形成されている。前記第２貫通ホール２１の内周部分に前記内被部３０の上端部が返し縫いされて連結される。このように、円筒形状の内被部３０の上端部にドーナツ形状の支持膜２０を連結させることにより、図５に示されるように、前記支持膜２０と前記内被部３０が全体的にラッパ管形状をなすようになる。前記支持膜２０の外周部分は、前記外被部１０の内側に返し縫いされて連結される。
【００２５】
それによって、前記支持膜２０は、前記外被部１０の内部空間を上部空間部５１と下部空間部５２とに分離させる。前記下部空間部５２は、前記支持膜２０と前記内被部３０と前記外被部１０とで取り囲まれた空間を形成し、前記上部空間部５１は、前記支持膜２０と前記外被部１０とで取り囲まれた空間で、前記空気注入管１２２と連通している。
【００２６】
前記支持膜２０に前記上部空間部５１と前記下部空間部５２とを連通させる空気ホール２２が複数個形成されている。前記空気ホール２２は、前記上部空間部５１の空気が前記下部空間部５２に移動する通路である。前記空気注入管１２２を介して前記上部空間部５１に注入された空気は、前記上部空間部５１を十分に満たすと同時に、前記空気ホール２２を介して前記下部空間部５２に流入することにより、空気膜造形物の外形を形成する。
【００２７】
図４および図６に示されるように、前記複数の空気ホール２２は、前記空気注入部１２０の円周方向に沿って互いに所定間隔をおいて形成されることにより、前記支持膜２０全体で均衡あるように空気が移動できるようにする。
【００２８】
前記支持膜２０は、第２貫通ホール２１の内周部分が前記内被部３０に結合された状態で、外周部分、すなわち周縁部分が前記外被部１０の内側壁に固定されることにより、前記内被部３０に対して前記外被部１０を支持する。同時に、前記支持膜２０は、前述のように、インフレキシブルな材質で構成された前記空気注入部１２０の上部外側に挟まれている構造を有しているので、図２に示された場合のように、空気膜造形物がいずれか一方に傾いたり倒れずに外形を維持することができる。
【００２９】
これは、前記外被部１０が外力によっていずれか一方に力を受けて傾こうとするとき、前記空気注入管１２２を中心として傾く方向に位置する支持膜２０の一部分が前記外被部１０を掴んで支持するからである。例えば、図２に示されるように、空気膜造形物が右側に傾こうとするとき、図５に示された支持膜２０において前記空気注入管１２２を中心として右側方に位置する部分が前記外被部１０を支持することにより、図２のように倒れるのを防止するのである。
【００３０】
ここで、図４および図６に示されるように、前記支持膜２０は、ドーナツ形状に形成されることにより、円筒状の内被部３０の上端部の円周全体と前記外被部１０の内周全体とを連結させ、それによって、前記内被部３０に対して前記空気注入管１２２の半径方向に沿って四方に前記外被部１０を支持するのである。したがって、前記外被部１０がいずれか一方向に傾かなくなるのである。
【００３１】
付け加えると、前記支持膜２０が前記外被部１０の内側面と前記内被部３０との間の空間に前記空気注入管１２２の円周方向に沿って全体的に面状に形成されることにより、空気膜造形物の四方から立体的に吹いてくる風や外力にも全方向で前記外被部１０を強固に支持することができるのである。
【００３２】
前記第１固定手段４１と前記第２固定手段４２は、ゴムバンドからなって、前記空気注入管１２２の外周面に締められるように締結される。前記第１固定手段４１は、前記空気注入管１２２の下端部に締結されることにより、前記外被部１０を前記空気注入管１２２の下端部に密着させる。それによって、前記外被部１０の内部の空気が前記第１貫通ホール１１を介して外部に抜けられないように遮断する。
【００３３】
前記第２固定手段４２は、前記空気注入管１２２の上端部に締結されることにより、前記内被部３０と前記支持膜２０を前記空気注入管１２２の上端部に密着させる。それによって、前記空気注入管１２２と前記内被部３０との間に前記外被部１０の内部の空気が抜けられないように遮断する。
【００３４】
前記空気注入管１２２の上端には、前記第２固定手段４２を支持する第２係止段１２２ａが形成されている。前記第２係止段１２２ａは、前記空気注入管１２２の半径方向の外側に突出して形成されることにより、ゴムバンドからなる前記第２固定手段４２が前記空気注入管１２２の上側に外されなくなる。このように、前記第２固定手段４２が前記第２係止段１２２ａによって前記空気注入管１２２の上端に係止されて支持されると、前記空気注入管１２２の上下方向に対して前記支持膜２０が固定的に位置付けられ、前記第１固定手段４１が前記第１係止段１２１ａに係止されて支持される結合力と合わされて空気膜造形物を強固に支持する。
【００３５】
以上、本発明を具体的な実施例により詳細に説明したが、これは、本発明を具体的に説明するためのものであり、本発明はこれに限定されず、本発明は、本発明の技術的思想内で当該分野における通常の知識を有する者によってその変形や改良が可能であることは明らかである。
【００３６】
本発明の単純な変形乃至変更はすべて本発明の領域に属するもので、本発明の具体的な保護範囲は添付した特許請求の範囲によって明確になる。
【符号の説明】
【００３７】
１０  外被部
１１  第１貫通ホール
２０  支持膜
２１  第２貫通ホール
２２  空気ホール
３０  内被部
４１  第１固定手段
４２  第２固定手段
５１  上部空間部
５２  下部空間部
【図１】
2019003183.tif 000003
【図２】
2019003183.tif 000004
【図３】
2019003183.tif 000005
【図４】
2019003183.tif 000006
【図５】
2019003183.tif 000007
【図６】
2019003183.tif 000008
【図７】
2019003183.tif 000009